(57)【要約】【課題】  他の端子等が接触し短絡することを抑制することができる導電接続用端子台を提供することを目的とする。【解決手段】  端子等を固定具を用いて取付けるための面板２１と面板２１に突設されプリント基板に取付けられる脚部２２とを備えた導電性の接続部材２と、接続部材２の脚部２２が装着可能な絶縁性の台座部材３と、を有し、面板２１には前記固定具が挿通される貫通孔２３が設けられ、台座部材３には貫通孔２３と相対する面に、前記固定具を固定するための端子固定用穴３１が設けられている導電接続用端子台１である。【選択図】  図１
2006324156.tif 000002
【特許請求の範囲】
【請求項１】
端子等を固定具を用いて取付けるための面板と該面板に突設されプリント基板に取付けられる脚部とを備えた導電性の接続部材と、
前記接続部材の脚部が装着可能な絶縁性の台座部材と、を有し、
前記面板には前記固定具が挿通される貫通孔が設けられ、
前記台座部材には前記貫通孔と相対する面に、前記固定具を固定するための端子固定用穴が設けられている導電接続用端子台。
【請求項２】
端子等を固定具を用いて取付けるための面板と該面板に突設されプリント基板に取付けられる脚部とを備えた導電性の接続部材と、
前記接続部材の脚部が装着される装着孔を備えた絶縁性の台座部材と、を有し、
前記面板には前記固定具が挿通される貫通孔が設けられ、
前記台座部材には前記貫通孔と相対する面に、前記固定具を固定するための端子固定用穴が設けられている導電接続用端子台。
【請求項３】
請求項２記載の導電接続用端子台において、固定具が絶縁性のネジであり、台座部材の端子固定用穴がネジ穴であることを特徴とする導電接続用端子台。
【請求項４】
請求項１〜３のいずれか記載の導電接続用端子台において、台座部材の面板と対向する面の外縁より内側に面板が装着されることを特徴とする導電接続用端子台。
【発明の詳細な説明】
【技術分野】
【０００１】
本発明は、２個またはそれ以上の導電部材間を導電接続するための導電接続用端子台に関するものである。
【背景技術】
【０００２】
導電接続用端子台は、電線等が取り付け固定され、電気回路の接地、他の部品との導電接続に用いられる。（特許文献１）に示すように、従来の導電接続用端子台としては、金属薄板を折曲げて形成されたものが知られている。
【０００３】
【特許文献１】特開２０００−５９０００号公報
【発明の開示】
【発明が解決しようとする課題】
【０００４】
しかしながら、上述の導電接続用端子台は、導電部材が表面に露出しているため端子同士が接触して短絡する可能性があった。特に、近年ではプリント基板等への表面実装の集積率が上がってきて基板状の部品も密集しているため、端子同士が接触する可能性が以前にもまして増えてきているという問題点がある。
【０００５】
そこで、本発明は上述のような課題を解決するため、他の端子等が接触し短絡することを抑制することができる導電接続用端子台を提供することを目的とする。
【課題を解決するための手段】
【０００６】
上記課題を解決するため、本発明の導電接続用端子台は、請求項１として、端子等を固定具を用いて取付けるための面板と該面板に突設されプリント基板に取付けられる脚部とを備えた導電性の接続部材と、前記接続部材の脚部が装着可能な絶縁性の台座部材と、を有し、前記面板には前記固定具が挿通される貫通孔が設けられ、前記台座部材には前記貫通孔と相対する面に、前記固定具を固定するための端子固定用穴が設けられていることを特徴とする。
【０００７】
また、本発明の導電接続用端子台は、請求項２として、端子等を固定具を用いて取付けるための面板と該面板に突設されプリント基板に取付けられる脚部とを備えた導電性の接続部材と、前記接続部材の脚部が装着される装着孔を備えた絶縁性の台座部材と、を有し、前記面板には前記固定具が挿通される貫通孔が設けられ、前記台座部材には前記貫通孔と相対する面に、前記固定具を固定するための端子固定用穴が設けられていることを特徴とする。
【０００８】
上記構成によれば、導電性接続部材の脚部が絶縁性台座部材に装着されるので、導電性の接続部材が露出する部位が少なくなる。一方、端子等を取付ける部分は面板として大きさが確保される。
【０００９】
また、請求項３は、請求項２記載の導電接続用端子台において、固定具が絶縁性のネジであり、台座部材の端子固定用穴がネジ穴であることを特徴とする。
【００１０】
上記構成によれば、固定具としてネジを用いているので、容易に端子を固定することができる。そして、ネジに絶縁性のものを用いるので、接続部材の面板や取付けられる端子が露出する面積を減らすことができる。
【００１１】
また、請求項４は、請求項１〜３のいずれか記載の導電接続用端子台において、台座部材の面板と対向する面の外縁より内側に面板が装着されることを特徴とする。
【００１２】
上記構成によれば、台座部材の面板と対向する面の外縁より内側に面板が装着されるので、他の端子との接触が特に生じやすい側面での接続部材の露出が抑えられる。
【発明の効果】
【００１３】
本発明の導電接続用端子台によれば、導電性の接続部材の露出する部位が少なくなるので、他の端子との接触による短絡を抑制することができる。そして、他の端子との接触の可能性が低減するので、取り付けの際の作業性が向上する。さらには、端子等を取付ける部分は面板として大きさを確保しており作業性が低下することがない。
【発明を実施するための最良の形態】
【００１４】
以下、本発明を実施するための最良の形態について詳細に説明する。
まず、本発明の導電接続用端子の実施の形態（１）について図１〜５に基づいて説明する。図１及び図２は、実施の形態（１）に係る導電接続用端子台を示す斜視図及び平面図である。図３及び図４は、図２のＡ−Ａ断面図及びＢ−Ｂ断面図である。実施の形態（１）に係る導電接続用端子台１は、図１に示すように、端子等を取付けるための面板２１と面板２１に突設された脚部２２とを備えた導電性の接続部材２と、脚部２２が装着される装着孔３２を備えた台座部材３とを有する。
【００１５】
接続部材２は、端子等を取付けるための面板２１と面板２１に突設された脚部２２から構成されている。面板２１は四角形状を有しており、中央には端子を固定するための固定具が挿通される貫通孔２３が設けられている。そして、面板２１は、図２に示すように、台座部材３が面板２１と対向する面の外縁より内側に装着されている。また、面板２１の四隅からは４本の脚部２２が垂直に突設されている。脚部２２は、プリント基板に半田付けにより取付ける際に熱が伝わりやすいので、薄板状のものが用いられる。また、脚部２２の先端２２１は小さく形成され尖った形状となっており、プリント基板の孔への挿入を容易に行うことができ、かつ熱が伝わりやすいようになっている。
【００１６】
台座部材３は、接続部材２を取付けるためのものであって直方体形状を有している。そして、台座部材３の材質としては、絶縁性の樹脂材料が選択される。台座部材３の上面３０１の四隅には、接続部材２の脚部２２が装着される４つの装着孔３２が設けられている。そして、各装着孔３２は、図４に示すように、台座部材３を上面３０１から底面３０２に向かって貫通して設けられている。４本の脚部２２は面板２１が台座部材３の上面３０１に接するまで各装着孔３２に挿通される。これにより、脚部２２の側面は、プリント基板Ｐに挿通される先端２２１を除いて絶縁性の樹脂材料に覆われることとなる。なお、装着孔３２の深さは、脚部２２の先端部２２１が装着孔３２の他端から突出するように脚部２２の長さよりも短く形成されている。
【００１７】
また、台座部材３には、図３に示すように、端子固定用穴３１が上面３０１から底面３０２に向かって貫通して設けられている。端子固定用穴３１は、固定具を固定するためのものであって、接続部材２の貫通孔２３と相対する面に設けられている。そして、端子固定用穴３１は、貫通孔２３と同軸上となるように設けられている。なお、端子固定用穴３１の直径は、面板２１が端子を固定するのを妨げないように接続部材２の貫通孔２３よりも小さく形成される。また、端子固定用穴３１はネジ穴となっており、内側面には端子の固定具としてネジを用いるときのためのネジ溝が設けられている。
【００１８】
続いて、実施の形態（１）に係る導電接続用端子台１を実際に使用して、端子Ｔを取付けた導電接続用端子台１をプリント基板Ｐに装着した状態を図５に示す。図５に示すように、導電接続用端子台１は、台座部材３の底面３０２がプリント基板Ｐに接するまで、プリント基板Ｐの取付孔に脚部２２が挿通される。そして、プリント基板Ｐから突出した脚部２２の先端２２１は半田ｈにより固定される。このとき、脚部２２の面板２１側の部位は絶縁性の台座部材２により覆われており、他の端子との接触の恐れがない。また、導電接続用端子台１は４本の脚部２２によりプリント基板Ｐに対してしっかりと固定されている。
【００１９】
そして、導電接続用端子台１には、固定具Ｓを用いて端子Ｔが取付けられている。固定具Ｓは、台座部材３の端子固定用穴３１に取付けられ端子Ｔが固定されている。
【００２０】
上記実施の形態（１）に係る導電接続用端子台１によれば、導電性の接続部材２の脚部２２が絶縁性の台座部材３の装着孔３２に装着されるので、プリント基板に挿通される先端部を除いて脚部２２が台座部材３により完全に覆われるので、他の端子との接触が特に生じやすい側面における接続部材２の露出が抑えられる。このため、他の端子との接触が抑制され、短絡を防止することが可能となる。また、導電接続用端子台１の高さを高くした場合には、それに応じて台座部材３の高さを高くすることで導電部分の露出を防止できるとともに、視認性、作業性を向上させることが可能となる、そして、他の端子との接触の可能性が低減するので取り付け作業の際に作業性が向上する。その一方で、接続部材２には、端子Ｔ等を取付けるための面板２１が設けられており、端子Ｔを取付ける際の作業性が低下することがない。
【００２１】
また、台座部材２の面板２１と対向する面の外縁より内側に面板２１が装着されるので、他の端子が面板２１に接触する可能性も低減される。
【００２２】
さらに、固定具Ｓとしてネジが用いられているので、容易に端子Ｔを固定することができる。そして、ネジに絶縁性のものを用いるので、接続部材２の面板２１や取付けられる端子Ｔが露出する面積が減らすことができ、他の端子との接触を抑えることができる。
【００２３】
なお、上記実施の形態（１）において、接続部材２の脚部２２として４本用いてプリント基板Ｐ及び台座部材３への固定を行ったが、４本に限られず適宜本数を設定することができる。上記実施の形態（１）では、接続部材２が台座部材３により安定されるため、脚部２２を２本設けたのみでも確実に固定することが可能である。
【００２４】
また、上記実施の形態（１）において、面板２１として四角形状のものを用いたが円形、多角形等の種々の形状を選択することが可能である。また、台座部材３としては直方体形状のものを用いたが、円柱形状、多角柱状のもの等を適宜選択することができる。
【００２５】
続いて、本発明の実施の形態（２）に係る導電接続用端子台１Ａについて図６及び７に基づいて説明する。実施の形態（２）に係る導電接続用端子台１Ａは、脚部２２Ａ及び２２Ｂが面板２１から突設されＬ字状に形成されている点で、実施の形態（１）と異なる。そして、台座部材３Ａの側面３０３ＡにはＬ字状の溝３３Ａ，３３Ｂが設けられており、それぞれ接続部材２の脚部２２Ａ，２２Ｂを装着可能となっている。片方の溝３３Ａは上面３０１Ａから側面３０３Ｂに渡って設けられており、一対の脚部２２Ａが装着される。脚部２２Ａの先端部２２１Ａは台座部材３Ａの側面３０４Ａから突出し、プリント基板に取り付け可能となっている。また、他方の溝３３Ｂには、もう一対の脚部２２Ｂが装着される。台座部材３Ａに接続部材２Ａを装着するには、溝３３Ａ及び３３Ｂに沿って脚部２２Ａ，２２Ｂを挿入すればよい。なお、接続部材２Ａの貫通孔２３Ａや台座部材３Ａの端子固定用穴３１Ａ等の構成は、実施の形態（１）に準ずる。
【００２６】
実施の形態（２）の導電接続用端子台１Ａによれば、導電性の接続部材２Ａの露出を抑えつつ、プリント基板Ｐに対する端子の取り付け面を垂直にすることができる。そして、実施の形態（１）と同様に脚部２２Ａ及び２２Ｂが絶縁性の台座部材３の内部に収納されるので、他の端子との接触が抑制され、他の端子との接触による短絡を防止することが可能となる。また、脚部２２Ａ，２２ＢがＬ字形状の溝３３Ａ，３３Ｂに装着されるので、接続部材２Ａを台座部材３に対してしっかりと固定することが可能となる。
【図面の簡単な説明】
【００２７】
【図１】実施の形態（１）に係る導電接続用端子台を示す斜視図である。
【図２】実施の形態（１）に係る導電接続用端子台を示す平面図である。
【図３】図２のＡ−Ａ断面図である。
【図４】図２のＢ−Ｂ断面図である。
【図５】実施の形態（１）に係る導電接続用端子台の使用状態を表す図である。
【図６】実施の形態（２）に係る導電接続用端子台を示す斜視図である。
【図７】図６の側面３０３Ａ側からみた側面図である。
【符号の説明】
【００２８】
１，１Ａ                    導電接続用端子台
２，２Ａ                    接続部材
２１，２１Ａ                面板
２２，２２Ａ，２２Ｂ        脚部
２２１，２２１Ａ            先端
２３，２３Ａ                貫通孔
３，３Ａ                    台座部材
３０１，３０１Ａ            上面
３０２，３０２Ａ            底面
３０３，３０３Ａ，３０４Ａ  側面
３１，３１Ａ                端子固定用穴
３２                        装着孔
３３Ａ，３３Ｂ              溝
Ｐ                          プリント基板
Ｔ                          端子
Ｓ                          固定具
ｈ                          半田
【図１】
2006324156.tif 000003
【図２】
2006324156.tif 000004
【図３】
2006324156.tif 000005
【図４】
2006324156.tif 000006
【図５】
2006324156.tif 000007
【図６】
2006324156.tif 000008
【図７】
2006324156.tif 000009